(57)【要約】【課題】フラット状のハーネスをフラットな状態のまま取り付ける。【解決手段】フラットハーネス取付クリップ１は、フラットハーネス３０をフラット状態のまま保持するハーネス保持部材１０と、このハーネス保持部材１０と結合するリブ係合部材２０とから構成される。ハーネス保持部材１０とリブ係合部材２０とには、それぞれ第１のリブ挿通穴１２と第２のリブ挿通穴２１とが形成され、第２のリブ挿通穴２１の周縁部にはリブ４１に食い込む形状のかえし部２３が形成されている。フラットハーネス３０にはスリット３４が形成され、ハーネス保持部材１０にフラットハーネス３０を取り付けた後リブ係合部材２０を取り付け、第１のリブ挿通穴１２、スリット３４及び第２のリブ挿通穴２１を通るようにフラットハーネス取付クリップ１にリブ４１を貫通させてフラットハーネス３０をバンパーフェイス４０に固定する。リブ係合部材２０のかえし部２３によりフラットハーネス取付クリップ１はリブ４１に確実に固定される。【選択図】  図１
2004357455.tif 000002
【特許請求の範囲】
【請求項１】
複数の電線を平面状に並設したフラットハーネスを、リブを備えたパネルなどの被取付部材へ取り付けるためのフラットハーネス取付クリップであって、
前記フラットハーネスをその両面から挟持するように互いに結合されるハーネス保持部材及びリブ係合部を備え、
前記ハーネス保持部材は、前記フラットハーネスの一方の面に添設されると共に前記リブが貫通する第１のリブ貫通穴が形成された板状の本体と、この本体の両側縁から立ち上がって前記フラットハーネスの両側縁の外側を覆うように延びる側壁とを有し、
前記リブ係合部材は、前記フラットハーネスの他方の面に添設されると共に前記ハーネス保持部材の第１のリブ貫通穴と対応する位置に前記リブが貫通する第２のリブ貫通穴が形成された金属板からなり、前記第２のリブ貫通穴の周縁部には、前記リブにそのエッジ部を食い込ませて前記リブからの抜けを防止するためのかえし部が形成されていることを特徴とするフラットハーネス取付クリップ。
【請求項２】
前記被取付部材及び前記ハーネス保持部材は、樹脂成型部材からなることを特徴とする請求項１記載のフラットハーネス取付クリップ。
【請求項３】
前記ハーネス保持部材は、前記フラットハーネスとの対向面に前記フラットハーネスを構成する各電線の被覆外周径に合わせて形成された、前記各電線の芯線方向に延び前記各電線の配列方向に複数配列形成された固定溝部を備えてなることを特徴とする請求項１又は２記載のフラットハーネス取付クリップ。
【請求項４】
前記フラットハーネスの前記第１及び第２のリブ貫通穴と対応する位置には、前記リブが貫通するスリットが形成されていることを特徴とする請求項１〜３のいずれか１項記載のフラットハーネス取付クリップ。
【請求項５】
前記ハーネス保持部材及び前記リブ係合部材は、係合部により互いに結合され、
前記係合部は、前記ハーネス保持部材の側壁に形成された、前記リブ係合部材との結合方向に延び先端に突起部を備える係合爪と、前記リブ係合部材に形成された、前記係合爪が挿通し前記突起部がその開口周縁部に引っ掛かって係止する係合穴部とから構成されていることを特徴とする請求項１〜４のいずれか１項記載のフラットハーネス取付クリップ。
【発明の詳細な説明】
【０００１】
【発明の属する技術分野】
この発明は、例えば自動車に適用されるフラットハーネスをパネル等の被取付部材に固定するためのフラットハーネス取付クリップに関し、特にフラットハーネスをフラットな状態のまま被取付部材に取り付けることができるフラットハーネス取付クリップに関する。
【０００２】
【従来の技術】
従来より、電気配線のために用いられるワイヤハーネスを自動車等に搭載されるパネル部材やバンパーフェイスなどに配索する場合、例えば図５〜図７に示すように配索が行われている。即ち、まず、絶縁被覆１０１により芯線１０２が覆われた構造の複数の電線１０３を束ねて保護テープなどの保護部材１０４により覆った構造からなるワイヤハーネス１００を、ワイヤハーネス１００を載置するための載置部２０１とこの載置部２０１に形成されたアンカー部２０２とを備えるハーネスクリップ２００に取付テープ１０５などにより取り付ける。そして、Ｕ字型の切欠部３０２を備えるリブ３０１が形成された被取付部材としてのバンパーフェイス３００のリブ３０１に、板金部材からなりハーネスクリップ２００のアンカー部２０２が差し込まれる挿入穴４０１が形成された取付クリップ４００を図５中矢印Ｄで示す方向に取り付けて、この取付クリップ４００の挿入穴４０１及びリブ３０１の切欠部３０２を通るようにハーネスクリップ２００のアンカー部２０２を図５中矢印Ｅで示す方向に挿入してワイヤハーネス１００をバンパーフェイス３００に固定している（例えば、特許文献１〜５参照。）。なお、通常、リブ３０１に取り付けられる取付クリップ４００には、リブ３０１に食い込んで取付クリップ４００のずれや外れなどを防止するためのかえし部４０２が形成されている。
【０００３】
【特許文献１】
実開平５−４５３６９号公報（第４−５頁、第１−４図）
【特許文献２】
特開平８−２２６４２１号公報（第２頁、第９−１０図）
【特許文献３】
特開平９−３２９７１号公報（第２頁、第８図）
【特許文献４】
特開平９−１２６３５６号公報（第３頁、第１−４図）
【特許文献５】
特開２００１−２４５４２７号公報（第２−３頁、第１−３図）
【０００４】
【発明が解決しようとする課題】
しかしながら、特許文献１〜５のものは、いずれも丸型断面状のワイヤハーネスを被取付部材に取り付けるためのものであるため、複数の電線を平面状に並設した構造からなるフラットハーネスに適用する場合、安定した固定が図れない場合がある。また、これらのものでは、被取付部材のワイヤハーネス配索側に、ワイヤハーネスを配索するためのそれ相応の配索スペースが必要となり、フラットハーネスに適用した場合でも省スペース化が図り難いという問題がある。
【０００５】
この発明は、このような問題点に鑑みてなされたもので、フラットハーネスをフラットな状態のまま被取付部材に取り付けて省スペース化を図ることができるフラットハーネス取付クリップを提供することを目的とする。
【０００６】
【課題を解決するための手段】
この発明に係るフラットハーネス取付クリップは、複数の電線を平面状に並設したフラットハーネスを、リブを備えたパネルなどの被取付部材へ取り付けるためのフラットハーネス取付クリップであって、前記フラットハーネスをその両面から挟持するように互いに結合されるハーネス保持部材及びリブ係合部を備え、前記ハーネス保持部材は、前記フラットハーネスの一方の面に添設されると共に前記リブが貫通する第１のリブ貫通穴が形成された板状の本体と、この本体の両側縁から立ち上がって前記フラットハーネスの両側縁の外側を覆うように延びる側壁とを有し、前記リブ係合部材は、前記フラットハーネスの他方の面に添設されると共に前記ハーネス保持部材の第１のリブ貫通穴と対応する位置に前記リブが貫通する第２のリブ貫通穴が形成された金属板からなり、前記第２のリブ貫通穴の周縁部には、前記リブにそのエッジ部を食い込ませて前記リブからの抜けを防止するためのかえし部が形成されていることを特徴とする。
【０００７】
この発明によれば、フラットハーネス取付クリップを構成するハーネス保持部材とリブ係合部材とでフラットハーネスを挟持し、ハーネス保持部材の第１のリブ貫通穴とリブ係合部材の第２のリブ貫通穴にリブを貫通させてフラットハーネスを被取付部材に取り付けることができる。リブ係合部材の第２のリブ貫通穴の周縁部には、リブにそのエッジ部を食い込ませてリブからの抜けを防止するためのかえし部が形成されているため、フラットハーネス取付クリップの被取付部材への固定状態は安定する。これにより、フラットハーネスをフラットな状態のまま被取付部材に取り付けて省スペース化を図ることが可能となる。
【０００８】
なお、例えば被取付部材及びハーネス保持部材は、樹脂成型部材からなる。
【０００９】
また、ハーネス保持部材は、例えばフラットハーネスとの対向面にフラットハーネスを構成する各電線の被覆外周径に合わせて形成された、各電線の芯線方向に延び各電線の配列方向に複数配列形成された固定溝部を備えるものである。
【００１０】
また、フラットハーネスの第１及び第２のリブ貫通穴と対応する位置には、リブが貫通するスリットが形成されていても良い。この場合、フラットハーネス取付クリップは、第１のリブ貫通穴、スリット及び第２のリブ貫通穴をリブが貫通する状態で被取付部材に取り付けられる。
【００１１】
そして、ハーネス保持部材及びリブ係合部材は、係合部により互いに結合されるものであり、この場合係合部は、例えばハーネス保持部材の側壁に形成された、リブ係合部材との結合方向に延び先端に突起部を備える係合爪と、リブ係合部材に形成された、係合爪が挿通し突起部がその開口周縁部に引っ掛かって係止する係合穴部とから構成されている。
【００１２】
【発明の実施の形態】
以下、添付の図面を参照して、この発明の好ましい実施の形態を説明する。
図１は、この発明の一実施形態に係るフラットハーネス取付クリップを示す分解斜視図、図２は、フラットハーネス取付クリップを被取付部材に取り付けた様子を示す斜視図、図３は、図２のＡ−Ａ´断面図である。
フラットハーネス取付クリップ１は、フラットハーネス３０の一方の面に添設されると共にフラットハーネス３０の両側縁の外側を覆うようにしてフラットハーネス３０をフラット状態のまま保持するハーネス保持部材１０と、フラットハーネス３０の他方の面に添設されると共にこのハーネス保持部材１０と互いに結合されるリブ係合部材２０とを備えて構成されている。なお、フラットハーネス３０は、単体の複数の電線をそれぞれ独立して平面状に並設したものでも良い。
【００１３】
ハーネス保持部材１０は、例えば樹脂成型部材からなり、フラットハーネス３０の一方の面に添設されると共に例えば被取付部材である自動車のバンパーフェイス４０に形成されたリブ４１が貫通する第１のリブ貫通穴１２が形成された本体１６と、この本体１６の両側縁から立ち上がってフラットハーネス３０の両側縁の外側を覆うように延びる側壁１７とを備えてなる。この本体１６のフラットハーネス３０との対向面には、フラットハーネス３０を構成する各電線３３の絶縁被覆３１の被覆外周径に合わせて形成された、各電線３３の芯線３２方向に延び各電線３３の配列方向に複数配列形成された固定溝部１１が形成されている。また、本体１６の第１のリブ挿通穴１２の開口周縁部には、例えばフラットハーネス３０の各電線３３の絶縁被覆３１を連結するブリッジ部３１ａに形成されたスリット３４に嵌まる、複数の突条１３ａ，１３ｂが形成されている。更に、このハーネス保持部材１０の側壁１７には、後述するリブ係合部材２０との係合機構の一部を構成するリブ係合部材２０との結合方向に延び先端に突起部１４を備える係合爪１５が形成されている。
【００１４】
一方、リブ係合部材２０は、例えば板状の金属母材を打ち抜き成型などして形成された金属板からなり、第１のリブ貫通穴１２と対応する位置にリブ４１が貫通する第２のリブ挿通穴２１が形成されている。この第２のリブ挿通穴２１の周縁部には、リブ４１にそのエッジ部を食い込ませてフラットハーネス取付クリップ１のリブ４１からの抜けを防止するためのかえし部２３が形成されている。また、リブ係合部材２０には、ハーネス保持部材１０の係合爪１５と共に係合部の一部を構成する係合穴部２２が形成されている。ハーネス保持部材１０に形成された係合爪１５とリブ係合部材２０に形成された係合穴部２２とにより、ハーネス保持部材１０とリブ係合部材２０とがフラットハーネス３０を挟持するように互いに結合される。なお、ハーネス保持部材１０の第１のリブ挿通穴１２と、フラットハーネス３０のスリット３４と、リブ係合部材２０の第２のリブ挿通穴２１とは、リブ４１への挿入方向に対してそれぞれ対応する位置に形成されている。
【００１５】
このように構成されたフラットハーネス取付クリップ１では、ハーネス保持部材１０にフラットハーネス３０を取り付けた後、リブ係合部材２０とハーネス保持部材１０とを結合し、リブ４１が第１のリブ挿通穴１２、スリット３４及び第２のリブ挿通穴２１を貫通するようにフラットハーネス取付クリップ１をリブ４１に取り付けるだけで、フラットハーネス３０をバンパーフェイス４０にフラット状態のまま固定することができる。この場合、リブ４１に取り付けられたフラットハーネス取付クリップ１は、リブ係合部材２０のかえし部２３によりリブ４１に食い込んで確実且つ安定した状態で固定されるため、振動などによりフラットハーネス取付クリップ１がずれたり外れたりすることはない。このフラットハーネス取付クリップ１を用いれば、バンパーフェイス４０に固定されたフラットハーネス３０を、バンパーフェイス４０の取付面にそのフラット面が平行となるようにフラット状態のまま固定することができるため、バンパーフェイス４０のハーネス配索側の省スペース化を図ることができる。
【００１６】
図４は、この発明の他の実施形態に係るフラットハーネス取付クリップを示す断面図である。なお、以降において、既に説明した部分と重複する説明は割愛する。
このフラットハーネス取付クリップ１´は、フラットハーネス３０のブリッジ部３１ａにスリット３４が形成されておらず、ハーネス保持部材１０´の第１のリブ挿通穴１２とリブ係合部材２０´の第２のリブ挿通穴２１とがフラットハーネス３０の側縁の外側でリブ４１が貫通する位置に形成されている点が、先の例のフラットハーネス取付クリップ１と相違している。このフラットハーネス取付クリップ１´でも、上記フラットハーネス取付クリップ１と同様の効果を得ることが可能となる。
【００１７】
【発明の効果】
以上述べたように、この発明によれば、フラットハーネス取付クリップを構成するハーネス保持部材とリブ係合部材とでフラットハーネスを挟持し、ハーネス保持部材の第１のリブ貫通穴とリブ係合部材の第２のリブ貫通穴にリブを貫通させてフラットハーネスを被取付部材に取り付けることができる。リブ係合部材の第２のリブ貫通穴の周縁部には、リブにそのエッジ部を食い込ませてリブからの抜けを防止するためのかえし部が形成されているため、フラットハーネス取付クリップの被取付部材への固定状態は安定する。これにより、フラットハーネスをフラットな状態のまま被取付部材に取り付けて省スペース化を図ることが可能となる。
【図面の簡単な説明】
【図１】この発明の一実施形態に係るフラットハーネス取付クリップを示す分解斜視図である。
【図２】同フラットハーネス取付クリップを被取付部材に取り付けた様子を示す斜視図である。
【図３】図２のＡ−Ａ´断面図である。
【図４】この発明の他の実施形態に係るフラットハーネス取付クリップを示す断面図である。
【図５】従来のフラットハーネス取付クリップを示す分解斜視図である。
【図６】従来のフラットハーネス取付クリップを被取付部材に取り付けた様子を示す斜視図である。
【図７】図６のＢ−Ｂ´断面図である。
【符号の説明】１…フラットハーネス取付クリップ、１０…ハーネス保持部材、１１…固定溝部、１２…第１のリブ挿通穴、１３…突条、１４…突起部、１５…係合爪、１６…本体、１７…側壁、２０…リブ係合部部材、２１…第２のリブ挿通穴、２２…係合穴部、２３…かえし部、３０…フラットハーネス、３１…絶縁被覆、３１ａ…ブリッジ部、３２…芯線、３３…電線、３４…スリット、４０…バンパーフェイス、４１…リブ。
【図１】
2004357455.tif 000003
【図２】
2004357455.tif 000004
【図３】
2004357455.tif 000005
【図４】
2004357455.tif 000006
【図５】
2004357455.tif 000007
【図６】
2004357455.tif 000008
【図７】
2004357455.tif 000009